(57)【特許請求の範囲】
【請求項１】
階段状のステップ部と、
前記ステップ部の上部に設けられた乗り台部と、
前記乗り台部から下降する滑走部と、を備え、
前記滑走部が、対向配置された一対の手摺り枠と、前記一対の手摺り枠の間に形成された滑走路と、を含み、
前記滑走路が、前記一対の手摺り枠に亘って装着された多数のローラ体が滑走方向に並設されたローラ敷設部と、一端が前記ローラ敷設部の始端に接続するように且つ他端が前記乗り台部に連続するように設けられた板状の滑り出し部と、を有しており、
前記ローラ敷設部の始端のローラ体を押圧するように、前記滑り出し部の一端に弾性部材が設けられており、
前記一対の手摺り枠の下方に、前記乗り台部と前記滑走部との接続部を補強する梁材が設けられており、
前記滑り出し部が、前記梁材を覆うように設けられた板体によって構成されていることを特徴とするローラ滑り台。
【請求項２】
前記滑り出し部における前記滑走方向の長さが、前記滑走路の幅以下であることを特徴とする請求項１に記載のローラ滑り台。
【請求項３】
前記滑り出し部が、前記ローラ敷設部側に向けて下り勾配となるように形成されていることを特徴とする請求項１または２に記載のローラ滑り台。
【発明の詳細な説明】
【技術分野】
【０００１】
本発明は、回転可能に装着されたローラ体が多数併設された滑走部を有しているローラ滑り台に関する。
【背景技術】
【０００２】
従来から、公園又は遊園地に設置される遊具として、下記特許文献１および特許文献２に開示されているように、滑走部に多数のローラ体を設けたローラ滑り台が提供されている。従来技術のローラ滑り台の多くは、ローラ体が滑走部の始端から終端に至る領域全体に設けられている。ローラ滑り台は、滑走部を平坦な板体によって構成した滑り台よりも滑り降りる際の加速度が大きいため、遊戯者に対して高揚感を与えうる。
【０００３】
なお、下記特許文献１および特許文献２にローラ滑り台においては、乗り台部と滑走部との接続部の補強等のために、乗り台部と滑走部（特に、乗り台部に近接する部分）との下方に梁材を設けた場合は、土、砂および埃等が梁材の上に落下して溜まり、清掃等のメンテナンスに手間を要するという問題がある。また、梁材は、比較的高い位置に設けられるため、メンテナンスに相当な手間を要するものと想定される。他に、遊戯者が滑り出し部で姿勢を正さないと（スタート待機姿勢をとらないと）、滑走する際に危険といった問題もある。
【０００４】
上述したこれら複数の問題のうち、遊戯者が滑り出し部でスタート待機姿勢をとることができるようにすべく、下記特許文献３において、スタート待機姿勢をとる場所となり得る滑り出し部（減速部）を有したローラ滑り台が開示されている。なお、近年ではさらなる安全性が要求されており、上述の乗り台部と滑走部との接続部の補強などが実施されていることも多い。
【先行技術文献】
【特許文献】
【０００５】
【特許文献１】特開２０００−１４０４３９号公報
【特許文献２】特開平８−１６８５７３号公報
【特許文献３】特開平９−２６６９８８号公報
【発明の概要】
【発明が解決しようとする課題】
【０００６】
しかしながら、上記特許文献３において、単に、スタート待機姿勢をとる場所となり得る滑り出し部を設けたり、乗り台部と滑走部との接続部の補強などを実施したりしても、安全性やメンテナンス性の観点から根本的な解決策であるとはいえなかった。
【０００７】
そこで、本発明の目的は、安全性とメンテナンス性との両観点において優れたローラ滑り台を提供することにある。
【課題を解決するための手段】
【０００８】
（１）  上述した課題を解決すべく提供される本発明のローラ滑り台は、階段状のステップ部と、前記ステップ部の上部に設けられた乗り台部と、前記乗り台部から下降する滑走部と、を備え、前記滑走部が、対向配置された一対の手摺り枠と、前記一対の手摺り枠の間に形成された滑走路と、を含み、前記滑走路が、前記一対の手摺り枠に亘って装着された多数のローラ体が滑走方向に並設されたローラ敷設部と、一端が前記ローラ敷設部の始端に接続するように且つ他端が前記乗り台部に連続するように設けられた板状の滑り出し部と、を有し、前記ローラ敷設部の始端のローラ体を押圧するように、前記滑り出し部の一端に弾性部材が設けられており、前記一対の手摺り枠の下方に、前記乗り台部と前記滑走部との接続部を補強する梁材が設けられており、前記滑り出し部が、前記梁材を覆うように設けられた板体によって構成されているものである。
【０００９】
上記（１）のローラ滑り台は、ローラ敷設部の始端と乗り台部との間に、板状の滑り出し部が設けられており、遊戯者が乗り台部から滑走部に移動し、滑り出すまでの間に、ローラ体によって足をすくわれ、体勢を崩してしまうという動作を防止することができる。また、本発明のローラ滑り台は、遊戯者が滑り出し部に着座し、適切な姿勢となった後に滑走部を滑り降りることができる。従って、本発明によれば、安全性に優れたローラ滑り台を提供することができる。また、乗り台部と滑走部との接続部の補強によって、さらに安全性に優れたローラ滑り台を提供できる。さらに、滑り出し部と最も乗り台部に近いローラ体との間で指を挟まないようなローラ滑り台を提供できる。加えて、滑り出し部をなす板体によって梁材が土、砂および埃等から保護された状態になるだけでなく、弾性部材によって、滑り出し部と最も乗り台部に近いローラ体との間からの土、砂および埃等の入り込みを防止することができるので、梁材上における清掃等のメンテナンスの手間を最小限に抑制することができる。
【００１０】
ここで、一般的に滑走路の幅は、遊戯者が着座した状態で通過可能な程度の大きさとされる。また、滑走部を滑り降りるために着座した状態において、遊戯者の臀部が接触する領域（以下、「臀部接触領域」とも称す）は、滑走路の幅に相当する長さの辺を一辺とする正方形の領域内に収まるものと想定される。一方、ローラ体の回転を利用し、滑走部をスムーズに降下できるようにするためには、滑り出し部に着座した状態において少なくとも遊戯者の足がローラ敷設部にさしかかった状態になることが望ましい。
【００１１】
（２）  上述した知見に基づけば、上記（１）のローラ滑り台においては、前記滑り出し部における前記滑走方向の長さが、前記滑走路の幅以下であることが望ましい。
【００１２】
上記（２）の構成とした場合、上記臀部接触領域内に滑り出し部が収まることになり、滑り出し部に着座した状態において遊戯者の足が確実にローラ敷設部にさしかかった状態になる。従って、本発明によれば、ローラ体の回転力を利用し、滑走部をスムーズに降下可能なローラ滑り台を提供することができる。
【００１３】
（３）  上記（１）または（２）のローラ滑り台においては、前記滑り出し部が、前記ローラ敷設部側に向けて下り勾配となるように形成されていることが好ましい。
【００１４】
上記（３）の構成によれば、滑り出し部からローラ敷設部側に向けてより一層スムーズに滑り降りることが可能となる。
【発明の効果】
【００１５】
本発明によれば、安全性とメンテナンス性との両観点において優れたローラ滑り台を提供することが可能となる。
【図面の簡単な説明】
【００１６】
【図１】本発明の一実施形態に係るローラ滑り台の正面図である。
【図２】図１に示すローラ滑り台の平面図である。
【図３】（ａ）は図２のＡ−Ａ断面図であり、（ｂ）はローラ体の取付構造を示した分解斜視図である。
【図４】図２のＢ部拡大図である。
【図５】滑走部の滑り出し部近傍を拡大した断面図であり、（ａ）は滑り出し部をなす板体を取り付ける前の状態を示す図、（ｂ）は板体を取り付けた後の状態を示す図である。
【図６】滑走部の滑り出し部近傍を拡大した平面図であり、（ａ）は滑り出し部をなす板体を取り付ける前の状態を示す平面図、（ｂ）は板体を取り付けた後の状態を示す平面図である。
【図７】（ａ）は、滑走部の滑り出し部の一端に設けた弾性部材と、ローラ体との関係を説明するための斜視図、（ｂ）は（ａ）における弾性部材の外観を示した斜視図である。
【発明を実施するための形態】
【００１７】
本発明の一実施形態に係るローラ滑り台１０について、図面を参照しつつ詳細に説明する。図１に示すように、ローラ滑り台１０は、ステップ部２０と、乗り台部３０と、滑走部４０とに大別される。ステップ部２０は、階段状のステップ２２を有し、ローラ滑り台１０の設置面１２と乗り台部３０との間を遊戯者が昇降できるように構成されている。
【００１８】
乗り台部３０は、図１および図２に示すように、ステップ部２０の上部に設けられた踊り場状の部分である。乗り台部３０は、設置面１２に対して略水平な床３２と、床３２の両側部に設けられた一対の落下防止用の柵３４、３５とを有している。
【００１９】
滑走部４０は、遊戯者が乗り台部３０から滑り降りるために設けられた部分である。滑走部４０は、図２および図３に示すように、左右一対の手摺り枠４２，４４と、梁材４６，４８と、滑走路５０とを備えている。手摺り枠４２，４４は、鋼板等によって形成され、滑走部４０のフレームを構成する部材である。滑走部４０は、手摺り枠４２，４４を所定の間隔を開けて対向配置し、両者の間に滑走路５０を形成したものである。手摺り枠４２，４４の間隔、すなわち滑走路５０の通路幅ｄ（図４参照）は、遊戯者の体格を考慮して決定されており、遊戯者が着座した状態で通過可能な程度の大きさに設定されている。
【００２０】
図３に示すように、手摺り枠４２，４４の滑走路５０側を向く面（以下、「内面４２ａ，４４ａ」とも称す）には、断面形状が略「コ」字型のチャンネル部４２ｂ，４４ｂが設けられている。チャンネル部４２ｂ，４４ｂは、手摺り枠４２，４４の下端付近に設けられており、滑走路５０側に向けて開口した溝４２ｃ，４４ｃを有しているものであり、後に詳述するローラ支持部材６２を複数、滑走方向に並べて装着することが可能となっている。
【００２１】
梁材４６，４８は、滑走部４０の補強用の部材であり、図３および図５に示すように、それぞれ手摺り枠４２，４４の下端部において手摺り枠４２，４４間に架設されている。梁材４６は、滑走路５０の始端側において乗り台部３０に隣接する位置、具体的には後に詳述する滑り出し部５４の下方に取り付けられ、乗り台部３０と滑走部４０との接続部を補強している。また、梁材４８は、長尺状の板部材であり、滑走部４０の中途等、滑走部４０の強度を適切な状態とするために、適宜設置されている。
【００２２】
滑走路５０は、上述した一対の手摺り枠４２，４４の間に形成され、遊戯者が滑り降りる際に通過する部分である。滑走路５０は、ローラ敷設部５２と、滑り出し部５４とに大別される。ローラ敷設部５２は、滑走路５０の大半をなす部分であり、滑走路５０の終端側から始端側近傍に至る領域に形成されている。
【００２３】
ローラ敷設部５２は、手摺り枠４２，４４間に亘ってローラ体５６を多数、滑走方向に並設することにより形成されている。ローラ体５６は、支軸５８と、支軸５８に対して自由に回動可能なように装着された筒体６０とを有している。ローラ体５６は、ローラ支持部材６２を用いることにより、手摺り枠４２，４４に対して自由に回動可能なように装着されている。
【００２４】
具体的には、ローラ支持部材６２は、図３（ｂ）に示すように、樹脂等によって形成されたブロック状の部材であり、ローラ体５６の支軸５８を挿入可能な挿入穴６２ａを備えている。また、ローラ支持部材６２は、幅がローラ体５６の外径と同等あるいは外径よりも僅かに大きい程度であり、厚みが上述したチャンネル部４２ｂ，４４ｂの高さ方向の幅と略同一となるように構成されている。ローラ体５６は、支軸５８の両端部にローラ支持部材６２，６２の挿入穴６２ａ,６２ａに挿入すると共に、ローラ支持部材６２，６２をチャンネル部４２ｂ，４４ｂの溝４２ｃ，４４ｃに嵌め込むことによりローラ敷設部５２に装着されている。ローラ支持部材６２，６２は、それぞれ溝４２ｃ，４４ｃの長手方向（滑走方向）に複数、略隙間無く並べて装着されている。これにより、ローラ体５６も、ローラ敷設部５２において滑走方向に略隙間無く並べて装着された状態となっている。
【００２５】
滑り出し部５４は、一端が滑走路５０においてローラ敷設部５２の始端側に接続するように、且つ、他端が乗り台部３０に連続するように設けられている。滑り出し部５４は、滑走路５０を滑り降りるために着座した状態において遊技者の臀部が接触する領域内に設置されている。
【００２６】
さらに詳細に説明すると、図４に網目状のハッチングを付して示しているように、滑走路５０の通路幅ｄに相当する長さの辺を一辺とする正方形の領域（以下、「臀部接触領域６４」とも称す）を想定すると、遊戯者が滑り降りようとして着座した状態において、遊技者の臀部は臀部接触領域６４内に収まるものと想定される。本実施形態においては、滑り出し部５４をなす板体６６の幅Ｄを滑走路５０の通路幅ｄと略同一とし、板体６６の長さＬを通路幅ｄの長さ以下の大きさを有した略矩形状のものとしている。具体的には、板体６６の長さＬを、幅Ｄおよび通路幅ｄの約１／２〜１／３程度に設定している。従って、滑り出し部５４は、臀部接触領域６４内に十分収まる大きさとなり、滑走路５０を滑り降りるために遊技者が着座する場合、遊技者の臀部が確実に滑り出し部５４に接触し、その後、遊技者の足がローラ敷設部５２側にさしかかった状態になる。
【００２７】
板体６６は、図５および図６に示すように、金属製の板体からなる補助板６８を介してチャンネル部４２ｂ，４４ｂにネジ止めされることにより手摺り枠４２，４４に対して固定されている。また、滑り出し部５４は、ローラ敷設部５２の始端側および乗り台部３０の床３２の双方に連続するように取り付けられている。
【００２８】
具体的には、滑り出し部５４をなす板体６６は、図５に示すように長さ方向の中途に形成された第一屈曲部６６ａおよび第二屈曲部６６ｂの２カ所において屈曲している。板体６６は、図５および図６に示すように、ローラ敷設部５２の最も始端側に位置するローラ体５６の上方に一部被さるように取り付けられている。これにより、滑り出し部５４は、滑走方向下流側において板体６６の端部から第一屈曲部６６ａに至る部分がローラ敷設部５２に連続した状態となっている。また、滑り出し部５４において、板体６６の端部から第一屈曲部６６ａに至る部分は、ローラ敷設部５２側（滑走方向下流側）に向けて下り勾配とされている。
【００２９】
また、板体６６において第一屈曲部６６ａから第二屈曲部６６ｂに至る部分は、乗り台部３０の床３２に連続しており、床３２と同様に略水平とされている。言い換えれば、板体６６において乗り台部３０の床３２に連続する部分の傾斜は、ローラ敷設部５２の下り勾配部分の傾斜よりも緩やかである。板体６６において第二屈曲部６６ｂから乗り台部３０側の端部に至る部分は、図５に示すように下方に向けて折り返されており、滑り出し部５４の下方に形成された隙間を閉塞している。また、板体６６は、滑走路５０の始端側において乗り台部３０に隣接する位置に設けられている梁材４６を覆うように設置されている。これにより、滑り出し部５４から梁材４６側に土、砂および埃等の落下が防止されている。
【００３０】
なお、図５及び図７（ａ）、（ｂ）に示したように、板体６６の一端には、ローラ敷設部５２の始端のローラ体５６を押圧するように、ローラ体５６の幅と略同一の弾性部材７０が設けられている。ここで、弾性部材７０は、図７（ｂ）に示すように、ローラ体５６表面の曲面形状に倣った緩やかな形状７０ａを一部に有しているものであり、ゴム又はスポンジなどの材料からなるものである。
【００３１】
上述したように、本実施形態のローラ滑り台１０は、ローラ敷設部５２の始端と乗り台部３０との間に、板状の滑り出し部５４を設けたものであるため、乗り台部３０において体勢を整えた後、滑り出し部５４に着座して体勢を整えるまでの間に、遊戯者の足がローラ体５６にさしかかることがない。また、滑り出し部５４において乗り台部３０に連続する部分、すなわち板体６６の第一屈曲部６６ａから第二屈曲部６６ｂに至る部分が略水平であり、ローラ敷設部５２の下り勾配部分の傾斜に比べて大幅に緩やかな傾斜とされている。そのため、遊戯者が滑り出し部５４に立った際に、ローラ敷設部５２側に体勢を崩すことがない。従って、ローラ滑り台１０では、遊戯者がローラ体５６によって予期せずに足をすくわれて、体勢を崩してしまうという動作を防止することができ、安全性に優れている。また、乗り台部と滑走部との接続部の補強部材（梁材４６）によって、さらに安全性に優れたローラ滑り台１０を提供できる。
【００３２】
また、ローラ滑り台１０では、滑り出し部５４をなす板体６６が臀部接触領域６４内に収まるように設置されるため、滑り出し部５４に着座すると遊戯者の足が確実にローラ敷設部５２にさしかかった状態になり、滑り出し時に十分な加速度を得ることが可能となる。また、ローラ滑り台１０は、滑り出し部５４がローラ敷設部５２側に向けて下り勾配となるように設置されているため、ローラ敷設部５２側に向けてスムーズに移動することが可能である。従って、ローラ滑り台１０は、ローラ体５６の回転力を利用し、滑走部４０をスムーズかつスピーディに滑り降りることが可能であり、遊戯者に高揚感を与えることが可能である。
【００３３】
また、ローラ滑り台１０においては、滑走路５０の始端側に設けられた梁材４６が、滑り出し部５４をなす板体６６によって覆われ、土、砂および埃等から保護された状態となるだけでなく、弾性部材７０によって、滑り出し部５４と最も乗り台部３０に近いローラ体５６との間からの土、砂および埃等の入り込みを防止することができるので、梁材４６上の清掃等のメンテナンスに要する労力を要しない。さらに、弾性部材７０によって、滑り出し部５４と最も乗り台部３０に近いローラ体５６との間で指を挟まないようなローラ滑り台１０を提供できる。なお、本実施形態では、メンテナンスの省力化等の観点から、滑り出し部５４を板体６６によって構成した例を示したが、本発明はこれに限定される訳ではなく、パンチングメタル、エキスパンドメタル等のように孔が開いた部材によって滑り出し部５４が構成されていてもよい。
【００３４】
このように、弾性部材７０は、滑り出し部５４と最も乗り台部３０に近いローラ体５６との間からの土、砂および埃等の入り込みを防止する機能と、滑り出し部５４と最も乗り台部３０に近いローラ体５６との間で指を挟まないようにする機能との両機能を有している。
【００３５】
ところで、ローラ敷設部５２の始端のローラ体５６を弾性部材７０によって押圧すると、押圧されたローラ体５６の回転性が悪くなるおそれがある。しかしながら、ローラ敷設部５２の始端のローラ体５６の回転性が悪くなったとしても、当該ローラ体５６とは異なる他のローラ体５６の回転性が維持されている限り、滑走部４０としての機能を維持できるので問題となることはない。むしろ、ローラ敷設部５２の始端のローラ体５６については、当該ローラ体５６が回転できるものでありながらも、この回転を阻止できる程度に弾性部材７０によって押圧されている方が、滑走部４０としての機能を維持しつつも、上述したように、土、砂および埃等の入り込み防止機能と、指挟みを防止機能とを兼ね備えることができるといった、安全性及びメンテナンス性において優れているといえる。なお、このような構成であっても、遊戯者が滑り出し部でスタート待機姿勢をとることができることは勿論である。
【００３６】
なお、弾性部材７０は、ローラ敷設部５２の始端のローラ体５６の幅と略同一としているが、これに限られるものではなく、滑り出し部５４と最も乗り台部３０に近いローラ体５６との間からの土、砂および埃等の入り込みを防止する機能を発揮できればよい。このような観点から言えば、弾性部材７０は、ローラ敷設部５２の始端のローラ体５６の幅と略同一であるか、当該ローラ体５６よりも幅広であることが好ましい。
【００３７】
また、上述した滑り出し部５４をなす板体６６は、第一屈曲部６６ａおよび第二屈曲部６６ｂを除く部分において表面が平坦な金属板によって構成されたものであるが、滑り止め用の凹凸等を設けたものであってもよい。また、板体６６は、第一屈曲部６６ａおよび第二屈曲部６６ｂ等の屈曲部または凹凸を有さず全体的に平坦なもの、湾曲した形状のもの等によって構成されていてもよい。
【００３８】
ローラ滑り台１０は、チャンネル部４２ｂ，４４ｂを有した手摺り枠４２，４４に対し、ローラ支持部材６２を用いて多数のローラ体５６を装着したものであるが、本発明はこれに限定される訳ではない。具体的には、手摺り枠４２，４４にチャンネル部４２ｂ，４４ｂを設けず、各ローラ体５６の支軸５８の両端部を直接、あるいは軸受け等を介して手摺り枠４２，４４に装着したものであってもよい。
【００３９】
本実施形態では、滑り出し部５４をなす板体６６の端部が、ローラ敷設部５２の始端側に位置するローラ体５６の一部に重なるように取り付けられた例を示したが、本発明はこれに限定される訳ではなく、板体６６とローラ体５６とが重ならないように配置する他、複数本のローラ体５６に重なるように板体６６を配置する等しても良い。
【符号の説明】
【００４０】
１０        ローラ滑り台
２０        ステップ部
３０        乗り台部
４０        滑走部
４２，４４  手摺り枠
４６        梁材
５０        滑走路
５２        ローラ敷設部
５４        滑り出し部
５６        ローラ体
６４        臀部接触領域
７０        弾性部材
【図１】
0005389834.tif 000002
【図２】
0005389834.tif 000003
【図３】
0005389834.tif 000004
【図４】
0005389834.tif 000005
【図５】
0005389834.tif 000006
【図６】
0005389834.tif 000007
【図７】
0005389834.tif 000008